(57)【要約】      （修正有）【課題】様々な大きさのものが用意できると共に、意匠性、耐久性に優れ、低価格で生産性の高いプランタ及びプランタユニットを提供する。【解決手段】プランタユニット１０ａ、１０ｂは、円筒柱１１と、円筒柱１１の上縁に設けられ開口したフランジ部１２と、フランジ部１２の内縁に沿って設けられたストッパ部１３と、円筒柱の下縁で形成される底部１４とを有している。ストッパ部１３は、フランジ部１２の内縁に沿って円形の段部を形成して設けられる。このように構成されたプランタユニット１０ａ、１０ｂを複数個重ねていくことで、所望の高さのプランタを構成することができる。さらに、円筒柱の外側上縁部に、円筒柱の外周を囲むように溝が形成され、この円周上の溝の中に発光素子が埋設される。【選択図】図４
0003135768.tif 000002
【実用新案登録請求の範囲】
【請求項１】
円筒柱と、
前記円筒柱の上縁に設けられ開口したフランジ部と、
前記フランジ部の内縁に沿って設けられたストッパ部と、
前記円筒柱の下縁で形成される底部と
を有することを特徴とするプランタユニット。
【請求項２】
さらに、前記円筒柱の外側上縁部に、前記円筒柱の外周を囲むように発光素子が埋設されたことを特徴とする請求項１に記載のプランタユニット。
【請求項３】
請求項１又は２に記載のプランタユニットが積層して構成される
ことを特徴とするプランタ。
【請求項４】
前記複数のプランタユニットを積層したとき、最上段のプランタユニットに、前記発光素子に電源を供給するための電源装置を配置するようにしたことを特徴とする請求項３に記載のプランタ。
【考案の詳細な説明】
【技術分野】
【０００１】
本考案は、街路、公園、オフィス空間のロビー等で植栽を行うのに好適なプランタ、及びそのようなプランタを構成するためのプランタユニットに関する。
【背景技術】
【０００２】
街路や公園に置いて、街の緑化を図るようにするためのプランタの開発が検討されている。このようなプランタとしては、以下のようなものが要望される。
【０００３】
（１）植裁する花木や環境に応じて、様々な大きさのものが用意できること。
（２）景観を守るために、意匠が優れていること。特に、複数のプランタを並べたときに、統一性のある意匠となること。
（３）耐久性に優れていること。特に、大型のプランタの場合でも、必要な強度が得られると。
（４）コストが安く、生産性が高いこと。
【０００４】
これに対して、従来より、大きさや意匠の異なる様々なプランタが製造、販売されてきている。ところが、従来のプランタは、大きさが決まっており、植裁する花木や環境に応じて、大きさを変更できない。
【０００５】
また、特許文献１には、プランタに樹木を植えて植裁する際に、樹木の成長に伴って枠ユニットを重ねていくことで、植物の成長に応じてプランタの大きさを変えることができるようにしたものが記載されている。
【特許文献１】登録実用新案第３０４４９９０号公報
【考案の開示】
【考案が解決しようとする課題】
【０００６】
しかしながら、特許文献１に示されているものは、枠ユニットを積み重ねる受部が２〜４点程度となっており、枠ユニットを積み重ねる際に、上下の枠ユニットの位置を受部に正確に合わせる必要がある。また、各枠ユニットの受部を精度良く作る必要がある。また、特許文献１に示されているものでは、単純な枠ユニットの積み重ねであるから、意匠性に乏しく、また、枠ユニットを積み重ねる際に、手を添える部分がなく、作業性が良くない。
【０００７】
本考案は、上述の課題を鑑み、様々な大きさのものが用意できると共に、意匠性、耐久性に優れ、低価格で生産性の高いプランタ及びプランタユニットを提供することを目的とする。
【課題を解決するための手段】
【０００８】
上述の課題を解決するための、本考案に係るプランタユニットは、円筒柱と、円筒柱の上縁に設けられ開口したフランジ部と、フランジ部の内縁に沿って設けられたストッパ部と、円筒柱の下縁で形成される底部とを有することを特徴とする。
【０００９】
好ましくは、さらに、円筒柱の外側上縁部に、円筒柱の外周を囲むように発光素子を埋設することを特徴とする。
【００１０】
本考案に係るプランタは、円筒柱と、円筒柱の上縁に設けられ開口したフランジ部と、フランジ部の内縁に沿って設けられたストッパ部と、円筒柱の下縁で形成される底部とを有するプランタユニット複数個を積層することを特徴とする。
【００１１】
好ましくは、複数のプランタユニットを積層したとき、最上段のプランタユニットに、発光素子に電源を供給するための電源装置を配置するようにしたことを特徴とする。
【考案の効果】
【００１２】
本考案に係るプランタユニットによれば、円筒柱と、円筒柱の上縁に設けられ開口したフランジ部と、フランジ部の内縁に沿って設けられたストッパ部と、円筒柱の下縁で形成される底部とを有しているので、複数のプランタユニットを重ねて、プランタを構成することができる。また、ストッパ部がフランジ部の内縁に設けられるため、上方に重ねられたプランタユニットの加重がプランタユニット全体で受けることになり、十分な強度が得られる。また、ストッパ部が円形であるから、方向を合わせることなく、複数のプランタユニットを確実に重ねることができる。また、複数のプランタユニットを積み重ねてプランタを構成するので、一部のプランタユニットが破損した時でもそのユニットのみの取替えで済むので経済的ある。
【００１３】
また、本考案に係るプランタによれば、さらに、円筒柱の外側上縁部に、円筒柱の外周を囲むように発光素子を埋設しているので、発光素子を点灯させることで、特有の装飾効果が期待できる。また、発光素子は、円筒柱の外側上縁部に円筒柱の外周を囲むように埋設されるため、風雨が直接当たらず、発光素子を保護できる。またプランタの周辺が発光するので、夜になってもプランタの位置がはっきりするので、プランタに植えた植物を車等の衝突から守ることが出来る。また、プランタが夜間に照明されるので、景観を美しく出来る。
【００１４】
また、本考案に係るプランタによれば、複数のプランタユニットを積層して構成するプランタであって、プランタユニットは、円筒柱と、円筒柱の上縁に設けられ開口したフランジ部と、フランジ部の内縁に沿って設けられたストッパ部と、前記円筒柱の下縁で形成される底部とを有し、上段に位置するプランタユニットの底部と下段に位置するプランタユニットのストッパ部とが係合するようにしているので、複数のプランタユニットを重ねて、プランタを構成することができる。また、植裁する花や木の大きさや、植え方、周囲の環境に応じて、重ねるプランタユニットの数を変化させてプランタの高さが選べる。さらに、複数のプランタユニットを重ねてプランタを構成すると、円筒が重なったような独特の形状となり、意匠性も優れている。また、このようにして構成されたプランタを、公園や街路に配置したときに、意匠の統一性がとれる。また、ストッパ部がフランジ部の内縁に沿って設けられるため、上方に重ねられたプランタユニットの加重がプランタユニット全体で受けることになり、十分な強度が得られる。また、ストッパ部が円形であるから、方向を合わせることなく、複数のプランタユニットを確実に重ねることができる。また、複数のプランタを重ね、高さを高くする事によって、小さな植物でも大きく象徴的に見せることができる。また。プランタごとに色を塗り分けて、場所性や固有性の表現が可能である。また、フランジ部を広くすることによって、フランジ部をベンチや物置台（休憩施設）として使用することが出来る。
【００１５】
また、本考案に係るプランタによれば、複数のプランタユニットを積層したとき、最上段のプランタユニットに、発光素子に電源を供給するための電源装置を配置しているので、積層された複数のプランタユニットの発光素子に電源を供給することができる。
【考案を実施するための最良の形態】
【００１６】
以下、本考案の実施の形態について図面を参照しながら説明する。図１は本考案の第１の実施形態のプランタユニット１０の斜視図、図２（Ａ）及び図２（Ｂ）はその平面図及び側面図を示すものである。
【００１７】
図１及び図２に示すように、本考案の第１の実施形態のプランタユニット１０は、例えばアルミ鋳物から形成されており、円筒柱１１と、円筒柱１１の上縁に設けられ開口したフランジ部１２と、フランジ部の内縁に沿って設けられたストッパ部１３とを有している。ストッパ部１３は、円筒柱１１の上縁部にフランジ部の内縁に沿って円形の段部を形成して設けられる。このように構成されたプランタユニット１０を複数個重ねていくことで、所望の大きさのプランタを構成することができる。
【００１８】
図３は、２つのプランタユニット１０ａ、１０ｂを重ねて構成したプランタ１ａを示している。図３（Ａ）に示すように、複数のプランタユニット１０ａ、１０ｂを重ねてプランタ１ａを構成し、図３（Ｂ）に示すように、その中で、花や木１５ａを植裁する。
【００１９】
２つのプランタユニット１０ａ、１０ｂを重ねると、図４に示すように、下側のプランタユニット１０ａのストッパ部１３に、その上に重ねられたプランタユニット１０ｂの底部１４が係合する。ここで、ストッパ部１３は、プランタユニット１０ａの円筒柱１１の上縁部にフランジ部の内縁に沿って段部を形成して設けられたものであるため、上方に重ねられたプランタユニット１０ｂの加重は、プランタユニット１０ａ全体で受けることになるため、十分な強度が得られる。また、ストッパ部１３が円形であるから、方向を合わせることなく、複数のプランタユニット１０ａ、１０ｂを確実に重ねることができる。
【００２０】
本考案の第１の実施形態では、重ねるプランタユニット１０の数によりプランタの高さを自由に変えることができる。すなわち、図３では、２つのプランタユニット１０ａ、１０ｂを重ねているが、図５では、４つのプランタユニット１０ａ〜１０ｄを重ねてプランタ１ｂを構成している。
【００２１】
例えば、図３に示すように、小さな花や木１５ａを植裁する場合には、２つのプランタユニット１０ａ、１０ｂを重ねてプランタ１ａを構成する。このようにすると、構成されるプランタ１ａの高さが低くなり、比較的小さな花や木１５ａに適合する。
【００２２】
これに対して、図５に示すように、少し大きい花や木１５ｂを植える場合には、４つのプランタユニット１０ａ〜１０ｄを重ねてプランタ１ｂを構成する。このようにすると、構成されるプランタ１ｂの高さが高くなり、大きい花や木１５ｂに適合する。
【００２３】
このように、本考案の第１の実施形態では、プランタユニット１０を重ねる枚数により、高さの異なるプランタ１ａ及び１ｂを構成することができる。このため、植裁する花や木の大きさや、植え方、周囲の環境に応じて、プランタの高さが選べる。
【００２４】
また、複数のプランタユニット１０を重ねてプランタを構成すると、円筒が重なったような独特の形状となり、意匠的にも優れたものとなる。また、このようにして構成されたプランタ１を、公園や街路に配置したときに、プランタ全体としての意匠の統一性がとれる。
【００２５】
また、本考案の第１の実施形態では、プランタユニット１０のストッパ部１３と底部１４によって複数のプランタユニット１０を重ねたときに、特有の意匠性が醸し出されると共に、プランタユニット１０を重ねる際に、このストッパ部１３に手を添えて作業をすることができ、作業性が良好である。
【００２６】
第２の実施形態．
図６は、本考案の第２の実施形態を示すものである。本考案の第２の実施形態のプランタユニット１０は、図６（Ａ）及び図６（Ｂ）に示すように、円筒柱１１と、円筒柱１１の上縁に設けられ開口したフランジ部１２と、フランジ部の内縁に沿って設けられたストッパ部１１３と、円筒柱１１の下縁である底部１４とを有し、円筒柱１１とフランジ部１２との付け根の付近の円筒柱外側上縁部に、円筒柱１１の外周を囲むように、溝１５が形成されている。ストッパ部１１３は、円筒柱１１の上縁でフランジ部１２の内側に沿って円形の段部として形成される。
【００２７】
図７は、本考案の第２実施形態のプランタユニットの溝の説明に用いる詳細断面図である。図７において、円筒柱１１とフランジ部１２との付け根の付近に、円筒柱１１の外周を囲むように、溝１５が形成され、この円周上の溝１５の中に発光素子１６が埋設される。発光素子１６としては、例えば、単体の発光素子を線でつないだものや、線状に形成されたフレキシブルＬＥＤ等が用いられる。
【００２８】
図８は、本考案の第２の実施形態の３つのプランタユニット１０ａ〜１０ｃを重ねて、プランタ１ａを構成したものである。この場合、最上段のプランタユニット１０ｃには、発光素子１６を駆動するための電源装置１７が取り付けられる。この電源装置１７から、各プランタユニット１０ａ〜１１０ｄの発光素子１６に、電源が供給される。
【００２９】
この第２の実施形態では、各プランタユニット１０に発光素子１６が設けられており、発光素子１６を点灯させることで、特有の装飾効果が期待できる。また、発光素子１６は、円筒柱１１の外側のフランジ部１２との付け根の部分に埋設されるため、風雨が直接当たらず、発光素子１６を保護できる。
【００３０】
なお、本考案は、上述した実施形態に限定されるものではなく、この考案の要旨を逸脱しない範囲内で様々な変形や応用が可能である。
【産業上の利用可能性】
【００３１】
本考案は、街路、公園、オフィス空間のロビー等で植栽を行うのに好適なプランタ、及びそのようなプランタを構成するためのプランタユニットに用いることができる。
【図面の簡単な説明】
【００３２】
【図１】本考案の第１実施形態のプランタユニットの構成を示す斜視図である。
【図２】本考案の第１実施形態のプランタユニットの構成を示す平面図及び側面図である。
【図３】本考案の第１実施形態のプランタユニットを用いて構成されたプランタの一例の説明図である。
【図４】本考案の第１実施形態によりプランタユニットを積層した場合の説明に用いる断面図である。
【図５】本考案の第１実施形態のプランタユニットを用いて構成されたプランタの他の例の説明図である。
【図６】本考案の第２実施形態のプランタユニットの構成を示す平面図及び側面図である。
【図７】本考案の第２実施形態のプランタユニットに設けられる溝の説明に用いる断面図である。
【図８】本考案の第２実施形態のプランタユニットを積層して電源装置を取りつけるときの説明に用いる断面図である。
【符号の説明】
【００３３】
１  プランタ
１０  プランタユニット
１１  円筒柱
１２  フランジ部
１３  ストッパ部
１４  底部
１５  溝
１６  発光素子
１７  電源装置
【図１】
0003135768.tif 000003
【図２】
0003135768.tif 000004
【図３】
0003135768.tif 000005
【図４】
0003135768.tif 000006
【図５】
0003135768.tif 000007
【図６】
0003135768.tif 000008
【図７】
0003135768.tif 000009
【図８】
0003135768.tif 000010